(57)【要約】【課題】従来、風速計測器が設置されている場合でも、管理者の風速計測器の見落としによって出入り口の扉や個人識別端末の使用制限ができない場合があった。【解決手段】ビルの出入り口に設けられ、風速を計測する風速計測器４ａ〜４ｃと、前記風速計測器により計測された風速が予め設定された一定値以上になった場合には前記出入り口の使用を制限する情報を出力する中央制御装置１と、前記出入り口の扉に設けられた電気錠３ａ〜３ｃと、前記出入り口に設けられ、前記中央制御装置からの使用制限情報に基づいて前記電気錠を施錠する個人識別端末２ａ〜２ｃとを有する。【効果】見落としや忘れが無くなり安全性が向上する。【選択図】　　　　図１
2004143803.tif 000002
【特許請求の範囲】
【請求項１】
ビルの出入り口に設けられ、風速を計測する風速計測器と、
前記風速計測器により計測された風速が予め設定された一定値以上になった場合には前記出入り口の使用を制限する情報を出力する中央制御装置と、
前記出入り口の扉に設けられた電気錠と、
前記出入り口に設けられ、前記中央制御装置からの使用制限情報に基づいて前記電気錠を施錠する個人識別端末と
を備えたことを特徴とする入退室管理装置。
【請求項２】
前記個人識別端末は、前記中央制御装置からの使用制限情報を表示部に表示する
ことを特徴とする請求項１記載の入退室管理装置。
【請求項３】
前記中央制御装置は、前記ビルに複数の出入り口がある場合に、前記複数の出入り口に対応する複数の風速計測器のうち、計測された風速が予め設定された一定値以上の第１の風速計測器が少なくとも１つあり、かつ計測された風速が予め設定された一定値未満の第２の風速計測器が少なくとも１つあるときには、前記第２の風速計測器に対応する出入り口に誘導案内する情報を出力し、
前記複数の出入り口に対応する複数の個人識別端末のうち、前記第１の風速計測器に対応する個人識別端末は、前記中央制御装置からの誘導案内情報を表示部に表示する
ことを特徴とする請求項１記載の入退室管理装置。
【請求項４】
前記中央制御装置は、前記ビルに複数の出入り口がある場合に、前記複数の出入り口に対応する複数の風速計測器のうち、計測された風速が予め設定された一定値以上の第１の風速計測器が全部のときには、計測された風速が一番小さい第２の風速計測器に対応する出入り口に誘導案内する情報を出力し、
前記複数の出入り口に対応する複数の個人識別端末のうち、前記第２の風速計測器以外の前記第１の風速計測器に対応する個人識別端末は、前記中央制御装置からの誘導案内情報を表示部に表示する
ことを特徴とする請求項１記載の入退室管理装置。
【請求項５】
前記中央制御装置は、前記出入り口の使用を制限する情報を出力している状態のとき、前記電気錠を解錠する指令が入力されると、前記使用制限情報を表示部に表示する
ことを特徴とする請求項１記載の入退室管理装置。
【請求項６】
前記中央制御装置は、前記出入り口の使用を制限する情報を出力している状態のとき、非常時設備から非常時信号が入力されると、優先して前記出入り口の扉に設けられた電気錠を解錠する情報を前記個人識別端末へ出力する
ことを特徴とする請求項１記載の入退室管理装置。
【請求項７】
前記中央制御装置又は前記個人識別端末は、表示内容と同じ内容を音声出力する
ことを特徴とする請求項２から請求項５までのいずれかに記載の入退室管理装置。
【発明の詳細な説明】
【０００１】
【発明の属する技術分野】
この発明は、マルチテナントのビル等において、出入り口の通行を管理する入退室管理装置に関し、特に風速計測器による扉の開閉を制御する入退室管理装置に関するものである。
【０００２】
【従来の技術】
従来、この種の方式としては、風速の強弱による扉の開閉、個人識別端末の使用制限をビルの管理者などの人によって判断し、手動操作による扉の施錠や使用制限に関する案内を紙の貼り付けや看板の設置で行っていた。なお、カードリーダー端末（個人識別端末）の使用制限に関し、関連の先行技術文献として、特許文献１がある。
【０００３】
【特許文献１】
特開平６−１８５２４９号公報（全１１頁）
【０００４】
【発明が解決しようとする課題】
上記のような人の判断による方式では、風速計測器が設置されている場合でも、管理者の風速計測器の見落としによって出入り口の扉や個人識別端末の使用制限ができない場合があった。
【０００５】
また、使用制限する際には、管理者がその出入り口に行って制限案内を設置する必要があるという問題点があった。
【０００６】
この発明は、前述した問題点を解決するためになされたもので、入退室管理装置に接続された風速計測器の値によって、ビルの出入り口の扉や、出入り口に設けられた個人識別端末の使用を自動で制限することができる、すなわち、人手による貼り紙を不要とすることができる入退室管理装置を得ることを目的とする。
【０００７】
【課題を解決するための手段】
この発明に係る入退室管理装置は、ビルの出入り口に設けられ、風速を計測する風速計測器と、前記風速計測器により計測された風速が予め設定された一定値以上になった場合には前記出入り口の使用を制限する情報を出力する中央制御装置と、前記出入り口の扉に設けられた電気錠と、前記出入り口に設けられ、前記中央制御装置からの使用制限情報に基づいて前記電気錠を施錠する個人識別端末とを有する。
【０００８】
【発明の実施の形態】
実施の形態１．
この発明の実施の形態１に係る入退室管理装置について図面を参照しながら説明する。図１は、この発明の実施の形態１に係る入退室管理装置の構成を示す図である。なお、各図中、同一符号は同一又は相当部分を示す。
【０００９】
図１において、ＣＰＵ等を含む中央制御装置１には、ビルの出入り口付近に設けられた複数の個人識別端末２ａ〜２ｃと、ビルの出入り口の扉に設けられた複数の電気錠３ａ〜３ｃと、ビルの出入り口付近に設けられた複数の風速計測器４ａ〜４ｃが接続されている。また、中央制御装置１には、表示部１１とスピーカー１２が設けられている。さらに、各個人識別端末２ａ〜２ｃには、それぞれスピーカー５ａ〜５ｃと表示部６ａ〜６ｃが設けられている。
【００１０】
図２は、この発明の実施の形態１に係る入退室管理装置のカードリーダー端末や、バイオメトリクス端末等の個人識別端末２ａ〜２ｃと、扉の電気錠３ａ〜３ｃと、風速計測器４ａ〜４ｃが設置されたビルの例えば１階の平面を示す図である。
【００１１】
つぎに、この実施の形態１に係る入退室管理装置の動作について図面を参照しながら説明する。
【００１２】
図３は、この発明の実施の形態１に係る入退室管理装置の中央制御装置の動作を示すフローチャートである。
【００１３】
ステップ１００において、中央制御装置１は、風速計測器４ａ〜４ｃの風速値の上限値（一定値：強風を示す値）と、個人識別端末２ａ〜２ｃへの指令情報を設定する。この指令情報には、電気錠３ａ〜３ｃの施錠、解錠情報を含む使用制限情報と、誘導案内情報等を含む。
【００１４】
次に、ステップ１０１において、中央制御装置１は、各風速計測器４ａ〜４ｃの風速値が一定値以上になったかどうかを判断する。
【００１５】
次に、ステップ１０２において、風速値が一定値以上になった風速計測器が１つでもあれば、中央制御装置１の表示部１１に、一定値以上になった風速計測器を表示する。つまり、中央制御装置１の表示部１１に、例えば、「赤色点滅で、風速計測器４ａの風速値が××で危険です。」と表示する。また、スピーカー１２により、「風速計測器４ａの風速値が××で危険です。」と音声出力する。
【００１６】
一方、ステップ１０３において、風速値が一定値以上になった風速計測器がない場合には、表示部１１で上記のような異常表示を行っているときには、中央制御装置１の表示部１１を正常表示にする。
【００１７】
次に、ステップ１０４において、すべての風速計測器４ａ〜４ｃの風速値が一定値以上か否かを判断する。
【００１８】
次に、ステップ１０５において、すべての風速計測器４ａ〜４ｃの風速値が一定値以上でない場合は、風速値が一定値未満の風速計測器に対応する扉へ誘導する。すなわち、風速値が一定値以上の個人識別端末のみ、上記設定した使用制限情報等を指令し、一定値以下の個人識別端末へは、使用制限しているときには、使用制限情報を通常に戻す。
【００１９】
例えば、すべての風速計測器４ａ〜４ｃのうち、風速計測器４ａの風速値だけが一定値以上の場合は、風速値が一定値未満の風速計測器４ｂ、４ｃに対応する安全な扉へ誘導する。中央制御装置１は、個人識別端末２ａへ設定した指令情報（使用制限情報等）を送信する。
【００２０】
次に、ステップ１０６において、すべての風速計測器４ａ〜４ｃの風速値が一定値以上になった場合には、すべての風速計測器４ａ〜４ｃのうち、一番小さい風速値がどれかを判断する。
【００２１】
次に、ステップ１０７において、風速値が一番小さい風速計測器に対応する扉へ誘導する。すなわち、一番小さい風速値の風速計測器に対応する個人識別端末以外の他の個人識別装置に使用制限情報等を指令する。
【００２２】
例えば、すべての風速計測器４ａ〜４ｃのうち、風速計測器４ａの風速値が一番小さい場合は、この風速計測器４ａに対応する扉へ誘導する。中央制御装置１は、個人識別端末２ｂ、２ｃへ設定した指令情報（使用制限情報等）を送信する。
【００２３】
図４は、この発明の実施の形態１に係る入退室管理装置の個人識別端末の動作を示すフローチャートである。
【００２４】
ステップ２００において、各個人識別端末２ａ〜２ｃは、操作されたかを判断する。例えば、個人識別端末がカードリーダー端末のときにはカードが挿入されたかを判断する。
【００２５】
次に、ステップ２０１において、操作された場合には、中央制御装置１から使用制限情報等の指令があるかを判断する。
【００２６】
次に、ステップ２０２において、使用制限情報等の指令が無い場合は、該当電気錠が施錠されている場合には、電気錠を解錠する。
【００２７】
一方、ステップ２０３において、使用制限情報等の指令がある場合には、該当個人識別端末は、指令された情報を表示、音声出力する。また、該当電気錠を施錠する。
【００２８】
例えば、すべての風速計測器４ａ〜４ｃのうち、風速計測器４ａの風速値だけが一定値以上の場合は、個人識別端末２ａは、電気錠３ａを施錠して該当扉を通行不能とする。また、表示部６ａにより該当の個人識別端末２ａ、出入り口（扉）が使用制限されていることを表示する。例えば、「強風のため、この個人識別端末２ａは、使用できません。この出入り口の扉は施錠されて通行できません。」と表示する。また、風速値が一定値未満（弱風）の風速計測器４ｂ、４ｃに対応する安全な扉へ誘導する。例えば、「個人識別端末２ｂ、２ｃの出入り口へ迂回して下さい。」と表示する。さらに、スピーカー５ａにより、表示内容と同じ内容を音声出力する。
【００２９】
また、例えば、すべての風速計測器４ａ〜４ｃの風速値が一定値以上で、風速計測器４ａの風速値が一番小さい場合には、個人識別端末２ｂ、２ｃは、電気錠３ｂ、３ｃをそれぞれ施錠して該当扉を通行不能とする。また、表示部６ｂ、６ｃにより該当の個人識別端末２ｂ、２ｃ、出入り口（扉）が使用制限されていることを表示する。例えば、「強風のため、この個人識別端末２ｂ、２ｃは、使用できません。この出入り口の扉は施錠されて通行できません。」と表示する。また、風速値が一番小さい風速計測器４ａに対応する扉へ誘導する。例えば、「個人識別端末２ａの出入り口へ迂回して下さい。」と表示する。さらに、スピーカー５ｂ、５ｃにより、表示内容と同じ内容を音声出力する。
【００３０】
なお、上記の実施の形態１では、個人識別端末２ａ〜２ｃ側で、使用制限情報の有無により、電気錠を施錠、解錠しているが、中央制御装置１側の遠隔制御で、電気錠を施錠、解錠してもよい。この場合、中央制御装置１は、該当出入り口の使用を制限する情報を出力している状態のとき、管理者等により該当電気錠を解錠する指令が入力されると、管理者の注意を促すために、前記使用制限情報を表示部１１に表示する。また、スピーカー１２により、表示内容と同じ内容を音声出力する。
【００３１】
また、上記の実施の形態１では、風速計測器４ａ〜４ｃの値によって中央制御装置１が強風時の使用制限情報等を自動指令しているが、中央制御装置１の表示部１１の表示を見て、管理者が各個人識別端末２ａ〜２ｃに使用制限情報等を指令してもよい。
【００３２】
さらに、中央制御装置１は、出入り口の使用を制限する情報を出力している状態のとき、火災感知器、地震感知器等の非常時設備から非常時信号が入力されると、優先して該当出入り口の扉に設けられた電気錠を解錠する情報を該当個人識別端末へ出力し、該当個人識別端末は該当電気錠を解錠する。
【００３３】
風速計測器４ａ〜４ｃの値により、出入り口の扉や個人識別端末２ａ〜２ｃを使用制限することで、見落としや忘れが無いので安全性が向上する。
【００３４】
また、中央制御装置１からの指令により個人識別端末２ａ〜２ｃ上に使用制限情報等を出力できるため、貼り紙、通知業務等のビルの管理者の業務を軽減できる。
【００３５】
【発明の効果】
この発明に係る入退室管理装置は、以上説明したとおり、ビルの出入り口に設けられ、風速を計測する風速計測器と、前記風速計測器により計測された風速が予め設定された一定値以上になった場合には前記出入り口の使用を制限する情報を出力する中央制御装置と、前記出入り口の扉に設けられた電気錠と、前記出入り口に設けられ、前記中央制御装置からの使用制限情報に基づいて前記電気錠を施錠する個人識別端末とを有するので、見落としや忘れが無くなり安全性が向上するという効果を奏する。
【図面の簡単な説明】
【図１】この発明の実施の形態１に係る入退室管理装置の構成を示す図である。
【図２】この発明の実施の形態１に係る入退室管理装置の平面構成を示す図である。
【図３】この発明の実施の形態１に係る入退室管理装置の中央制御装置の動作を示すフローチャートである。
【図４】この発明の実施の形態１に係る入退室管理装置の個人識別端末の動作を示すフローチャートである。
【符号の説明】
１　中央制御装置、２ａ、２ｂ、２ｃ　個人識別端末、３ａ、３ｂ、３ｃ　電気錠、４ａ、４ｂ、４ｃ　風速計測器、５ａ、５ｂ、５ｃ　スピーカー、６ａ、６ｂ、６ｃ　表示部、１１　表示部、１２　スピーカー。
【図１】
2004143803.tif 000003
【図２】
2004143803.tif 000004
【図３】
2004143803.tif 000005
【図４】
2004143803.tif 000006